(57)【要約】【課題】二つの蓋片が差込孔を遮蔽して防塵、防水の効果を備え、かつ感電を多重に防止し、安全性を高めるコンセントを提供する。【解決手段】回転可能で掛合部を有する蓋片を設置して、定位台、昇降するボタン、挟持台、挟持定位片 、導電片を設置し、前記ボタンは停止片、掛合部を備えることにより、蓋片が塵及水の浸入を防止し、正常使用でない差込プラグ又は異物が差しまれたとき、導電片は電源銅片に接続通電せず、電気を切った状態にして感電を防止する。【選択図】図１
0003138372.tif 000002
【実用新案登録請求の範囲】
【請求項１】
対応して組み合わせる二つの外フレームを有し、このうち上方の外フレームに二つの差込孔、一つの穿孔を設け、この両外フレームに電源コードに接続する電源銅片、差込プラグ金属片を差し込む差込銅片を組み合わせると共に、前記二つの外フレーム内に定位台、二つの蓋片、ボタン、挟持台、挟持定位片を設置し、前記定位台に穿孔を設けて該穿孔に前記ボタンを差込み、前記定位台の両辺には軸台を設置して前記二つの蓋片を枢設する軸心を設け、この二つの蓋片には掛合部を設置し、更に前記二つの蓋片間に回復バネを連接し、該二つの蓋片が前記外フレームの差込孔を遮蔽し、前記ボタンの一端を上方の外フレームの穿孔に差込み、他端を前記定位台の穿孔に差し込んで挟持台を組み立て、該挟持台は更に挟持定位片と組み合わせ、該挟持台と挟持定位片との間に二つの導電片を設置し、前記挟持定位片は穿孔を有し、前記導電片を底面から露出させ、前記ボタンには停止片を設置し、該停止片は掛合部を有して前記蓋片の掛合部と掛合し、前記ボタンを昇降可能として、前記挟持台、挟持定位片、二つの導電片は順にボタンと共に下降、上昇し、下降時には前記導電片が電源銅片と差込銅片に接触して通電し、前記停止片の掛合部は前記蓋片の掛合部に掛合して、二つの蓋片が同時に開かない時には前記ボタンの下降を防止することを特徴とするコンセント。
【請求項２】
前記ボタン停止片と定位台は、その間に押圧バネを設置し、差込プラグを差し込まない時には押圧バネの弾力によってボタン及び挟持台、挟持定位片、導電片を上に上げて電気を切った状態にすることを特徴とする請求項１記載のコンセント。
【請求項３】
前記電源銅片と電源コード挟持定位片は、その間にオフラインボタンを設置し、且つ該オフラインボタンは外フレームから露出しており、電源を切りたいとき、このオフラインボタンを押すと、前記挟持定位片が再び電源コードを挟まなくなり、該電源コードが簡単に抜けることを特徴とする請求項１記載のコンセント。
【考案の詳細な説明】
【技術分野】
【０００１】
本考案は、回転する蓋片を設け、この蓋片が差込孔を遮蔽することにより、塵及び水の浸入を防止すると共に、昇降するボタン、挟持台、挟持定位片、導電片を設置することにより、異物が入った場合、差込プラグが正常使用している時でも電気が切れた状態にして感電を防止するコンセントに関する。
【背景技術】
【０００２】
従来のコンセントは、塵の進入を防止のために、外フレームに蓋カバーが設置されるか、もしくは開けたり閉じたりする蓋片が設置されている。しかしながら、この蓋カバーは電気を入れる時には人の手で外さなければならず、使用しない時には人の手で蓋を閉めなければならない。つまり、蓋片は人の手で動かして開いたり閉じたりするものであるため、使用上不便であるという問題を抱えている。更に、使用者は往々にして蓋をして閉じるのを忘れてしまいがちである。
【０００３】
また、他の従来のコンセントは、使用しない時には電気を切ることが出来るように、別に電源スイッチを設置している。そのため、使用時にはわざわざスイッチを入れたり、切ったりしなければならない。そのため、使用しない時に、スイッチを切るのを忘れてしまい、通電状態のままにしてしまい、子供が金属異物などを差し込んでしまい、感電の危険が発生することもある。
【考案の開示】
【考案が解決しようとする課題】
【０００４】
解決しようとする問題点は、蓋片によって防塵、防水をしていても手で開閉するのが不便であること、また別の電源スイッチを備えている場合には、消すのを忘れると子供が金属異物などを差し込んだ時、感電の危険がある点である。
【０００５】
本発明は、上記事情に鑑みてなされたもので、二つの蓋片が差込孔を遮蔽し、防塵、防水の効果を有し、更に二つの蓋片が同時に開かない時にはボタンは下がらないようにして、感電を防止し、安全性を高めることができるコンセントを提供することを目的とする。
【課題を解決するための手段】
【０００６】
本考案の一態様によるコンセントは、対応して組み合わせる二つの外フレームを有し、このうち上方の外フレームに二つの差込孔、一つの穿孔を設け、この両外フレームに電源コードに接続する電源銅片、差込プラグ金属片を差し込む差込銅片を組み合わせると共に、前記二つの外フレーム内に定位台、二つの蓋片、ボタン、挟持台、挟持定位片を設置し、前記定位台に穿孔を設けて該穿孔に前記ボタンを差込み、前記定位台の両辺には軸台を設置して前記二つの蓋片を枢設する軸心を設け、この二つの蓋片には掛合部を設置し、更に前記二つの蓋片間に回復バネを連接し、該二つの蓋片が前記外フレームの差込孔を遮蔽し、前記ボタンの一端を上方の外フレームの穿孔に差込み、他端を前記定位台の穿孔に差し込んで挟持台を組み立て、該挟持台は更に挟持定位片と組み合わせ、該挟持台と挟持定位片との間に二つの導電片を設置し、前記挟持定位片は穿孔を有し、前記導電片を底面から露出させ、前記ボタンには停止片を設置し、該停止片は掛合部を有して前記蓋片の掛合部と掛合し、前記ボタンを昇降可能として、前記挟持台、挟持定位片、二つの導電片は順にボタンと共に下降、上昇し、下降時には前記導電片が電源銅片と差込銅片に接触して通電し、前記停止片の掛合部は前記蓋片の掛合部に掛合して、二つの蓋片が同時に開かない時には前記ボタンの下降を防止する。
【考案の効果】
【０００７】
本考案のコンセントは、二つの蓋片が差込孔を遮蔽して防塵、防水の効果を有し、前記二つの蓋片が同時に開かないときにはボタンは下がらないため、感電を防止し、安全性を高めるという利点がある。
【考案を実施するための最良の形態】
【０００８】
図１から５に示すように、組立てられる二つの外フレーム１０、１１において、上方の外フレーム１１は二つの差込孔１２、一つのアース差込孔１３、一つの穿孔１４を有する。これら二つの外フレーム１０、１１内には、電源コード１９に接続する電源銅片１５、差込プラグ４０の金属片４１に差し込む差込銅片１６、アース銅片１７が設置される。また、前記二つの外フレーム１０、１１内には、同じく定位台２０、二つの蓋片２４、ボタン３０、挟持台３５、挟持定位片３７が設置される。前記定位台２０には穿孔２１を設け、該穿孔２１にボタン３０を差込み、該定位台２０の両辺には軸台２３を設置して前記二つの蓋片２４を組み立てた軸心２５を枢設する。
【０００９】
前記二つの蓋片２４には、掛合部２６が設置され、且つ該二つの蓋片２４間には回復バネ２７を連接し、二つの蓋片２４で外フレーム１１の差込孔１２を塞ぐようになっている。
【００１０】
前記ボタン３０の一端は、上方の外フレーム１１の穿孔１４に差込まれ、別の一端は前記定位台２０の穿孔２１に差し込んで挟持台３５を設置する。該挟持台３５には、掛合孔３６を設けて挟持定位片３７の掛合部３８と掛合する。前記挟持台３５と挟持定位片３７間には、二つの導電片３４を設設け、前記挟持定位片３７には穿孔３９を設置して導電片３４を底面から露出させる。前記ボタン３０には停止片３１を設置し、この停止片３１には掛合部３２を設け、前記蓋片２４の掛合部２６と掛合する。ボタン３０は昇降するようになっており、該ボタン３０の停止片３１と定位台２０との間に、押圧バネ３３を設置して前記挟持台３５、挟持定位片３７、二つの導電片３４はボタン３０に従って下降、上昇するようになっている。
【００１１】
前記導電片３４は、下降すると、電源銅片１５と差込銅片１６とに接触して通電する。一方、上昇すると、電気が切れる。前記ボタン３０は停止片３１を有し、該停止片３１両端は掛合部３２を有している。前記停止片３１の掛合部３２は、蓋片２４の掛合部２６に掛合され、二つの蓋片２４が同時に開かないときにはボタン３０の下降を防止する。
【００１２】
図８、９に示すとおり、電源銅片１５、アース銅片１７と挟持定位片１５０との間には、オフラインボタン１８が設置されている。このオフラインボタン１８の一端は、前記外フレーム１０から露出し、該オフラインボタン１８を押すと、挟持定位片１５０を圧迫し、電源コード１９を挟まないため、電源が切られるようになっている。
【００１３】
上述の構造による実施例のコンセントの作用は以下のとおりである。
【００１４】
差込プラグを差し込まないときは、塵及び水の浸入を防止する。
【００１５】
図３、４に示すとおり、ボタン３０が押圧バネ３３の弾力によって上に上がっている状態のとき、二つの蓋片２４は回復バネ２７の彈性張力の連結により、水平状態になって外フレーム１１の二つの差込孔１２を遮蔽し、差込孔１２の塵、水の侵入を防止している。
【００１６】
蓋片２４が同時に開かないときには、ボタン３０は下がらない。
【００１７】
図３、４に示すとおり、ボタン３０は停止片３１を備え、その停止片３１は掛合部３２を有して二つの蓋片２４の掛合部２６に掛合し、二つの蓋片２４が停止片３１のボタン３０を抑えた状態にして、更にボタン３０の停止片３１下方には押圧バネ３３を備えて支えている。それによって二つの蓋片２４において下回転して開かない時には、ボタン３０も下がらない。つまり、ボタン３０の挟持台３５、挟持定位片３７、導電片３４も下がらず、電源銅片１５と差込銅片１６を接触通電させず、電源は差込銅片1６へ至らず、また差込銅片１６が不使用（差込プラグ４０を差し込む）のとき、電気がない状態を保って安全を確保する。
【００１８】
差込プラグ４０を差し込んで通電する：
図６に示すとおり、差込プラグ４０を差し込んで正常使用したとき、差込プラグ４０の二つの金属片４１を差込孔１２に差込み、同時に二つの蓋片２４が回転して開くと、二つの蓋片２４の掛合部２６がボタン３０停止片３１の掛合部３２から外れるので、差込プラグ４０がボタン３０を圧迫して下降させることが出来る。また、挟持台３５の挟持定位片３７の導電片３４が下降し、二つの導電片３４の電源銅片１５、差込銅片１６に通電し、電源銅片１５の電源を差込銅片１６に伝え、差込プラグ４０の金属片４１に通電する。
【００１９】
反対に、差込プラグ４０及び金属片４１を離すと、押圧バネ３３の弾力、回復バネ２７の彈性張力によって前記二つの蓋片２４が反転して元の位置に回復した状態となり、停止片３１を押して上向きに動かすようになっている。即ち、ボタン３０、挟持台３５、挟持定位片３７の導電片３４を持ち上げ、差込銅片１６を電気が切れた状態にする。
【００２０】
感電を防止する。
【００２１】
図７示すとおり、子供が異物４２（例えば、栓抜き、ドライバーなど）を差込孔１２に差し込んだ場合、一つの蓋片２４が開いて異物４２が差込銅片１６に差し込まれても、ボタン３０は押されて下へ下がらない。したがって、導電片３４は、電源銅片１５、差込銅片１６に接続通電しないので、電気が異物４２に通ることはなく、感電を防止して安全を確保する。
【００２２】
電気コードを外すのが簡単である。
【００２３】
図８及び９に示すとおり、電源コード１９を外したいとき、オフラインボタン１８を押し、挟持定位片１５０を押すと、挟持定位片１５０は、再び電源コード１９に挟まれないので簡単に電源コード１９を抜き取り、外フレーム１０から外れる。
【００２４】
上述の説明のとおり、本考案は二つの蓋片２４が差し込み孔１２を遮蔽し、防塵、防水の効果を備える。更に、前記二つの蓋片２４が同時に開かない時にはボタン３０は下がらないため、感電を多重に防止し、安全性を高めることができる。
【図面の簡単な説明】
【００２５】
【図１】本考案の実施例を示す立体分解図である。
【図２】本考案の実施例の外フレームを外した状態を示す組立斜視図である。
【図３】本考案実施例を示す組立側面断面図である。
【図４】本考案実施例を示す組立正面断面図である。
【図５】本考案実施例において差込プラグを差し込んで導電状態とした側面断面図である。
【図６】本考案実施例の差込プラグを差し込んで導電状態とした正面断面図である。
【図７】本考案実施例のプラグに異物を差し込んだときでも通電しない状態を示す説明図である。
【図８】本考案実施例のプラグのオフラインボタンを押して通電ラインから外れた状態を示す側面図である。
【図９】本考案実施例のプラグのオフラインボタンを押して通電ラインから外れた状態を示す正面図である。
【符号の説明】
【００２６】
１０        外フレーム
１１        外フレーム
１２        差込孔
１３        アース差込孔
１４        穿孔
１５        電源銅片
１５０        挟持定位片
１６        差込銅片
１７        アース銅片
１８        オフラインボタン
１９        電源コード
２０        定位台
２１        穿孔
２２        ネジ止め孔
２３        軸台
２４        蓋片
２５        軸心
２６        掛合部
２７        回復バネ
３０        ボタン
３１        停止片
３２        掛合部
３３        押圧バネ
３４        導電片
３５        挟持台
３６        掛合孔
３７        挟持定位片
３８        掛合部
３９        穿孔
４０        差込プラグ
４１        金属片
４２        異物
【図１】
0003138372.tif 000003
【図２】
0003138372.tif 000004
【図３】
0003138372.tif 000005
【図４】
0003138372.tif 000006
【図５】
0003138372.tif 000007
【図６】
0003138372.tif 000008
【図７】
0003138372.tif 000009
【図８】
0003138372.tif 000010
【図９】
0003138372.tif 000011